(57)【要約】      （修正有）【課題】ハードケースからなる収納体にも容易に適用することができる収納体補強部材を提供する。【解決手段】内部に収納物を収納できる収納体の端縁部を補強するために固定され、可撓性を有し、全体長尺帯板状に形成された収納体補強部材１０であって、基材１３と、基材の表面部に係合固定されるクッション部材１５とを備え、基材は、裏面部幅方向一端部には係止突条を有すると共に表面部幅方向両端部には、一対のクッション部材の固定用突条を有し、クッション部材は細幅板状であって、クッション部材は基材の表面部に形成された一対の固定用突条の間に形成される収納空隙内に、基材との間に厚さ方向において空隙３２部を形成した状態で収納固定されることを特徴とする。【選択図】図４
0003187057.tif 000002
【実用新案登録請求の範囲】
【請求項１】
内部に収納物を収納できる収納体の端縁部を補強するために固定され、可撓性を有し、全体長尺帯板状に形成された収納体補強部材であって、基材と、上記基材の表面部に係合固定されるクッション部材とを備え、上記基材は、裏面部幅方向一端部には係止突条を有すると共に表面部幅方向両端部には、一対の上記クッション部材の固定用突条を有し、上記クッション部材は細幅板状であって、上記クッション部材は上記基材の表面部に形成された一対の固定用突条の間に形成される収納空隙内に、基材との間に厚さ方向において空隙部を形成した状態で収納固定されることを特徴とする収納体補強部材。
【請求項２】
上記クッション部材の幅方向両端部は両端部に到るに従って厚さ寸法が小さくなるテーパを以って形成されると共に、裏面部は表面部方向に向かって湾曲して形成されていることを特徴とする請求項１に記載の収納体補強部材。  
【請求項３】
上記クッション部材の裏面部には溝部が形成されていることを特徴とする請求項２に記載の収納体補強部材。
【請求項４】
上記基材の一対の固定用突条は、上記収納空隙を介して互いに対向して配置され、先端部に向かって幅寸法が小さくなるテーパ状に形成されていると共に、上記先端部は上記収納空隙内方に突出して配置されていることを特徴とする請求項３に記載の収納体補強部材。
【請求項５】
上記クッション部材の表面部には装飾部が形成されていることを特徴とする請求項１に記載の収納体補強部材。 
【考案の詳細な説明】
【技術分野】
【０００１】
本考案は、収納体補強部材の改良に関する。
【背景技術】
【０００２】
従来より、合成樹脂からなるバッグ等の収納体の端縁部には、玉縁といわれる紐状の補強部材が固定されている（例えば、特許文献１参照）。
【０００３】
上記玉縁は、例えば、合成樹脂バッグの周縁角部において互いに隣接する表皮材の間に係合固定される横断面略円形状の玉縁部を備えている。
【０００４】
しかしながら、このような従来の収納体補強部材にあっては、上記玉縁は互いに隣接する表皮材の間に挟持させて接合固定させるように構成されており、このような玉縁を収納体の端縁部に固定することは煩雑である、という不具合があった。
【０００５】
また、このような収納体補強部材は、所定の剛性を備えたハードケースからなるスーツケース等の周縁部には、構造上、そのままでは適用することは不可能であった。
【特許文献１】実公昭５４−９５２７号公報
【考案の開示】
【考案が解決しようとする課題】
【０００６】
本考案は、上記従来技術の有する問題点に鑑みなされたものであり、その目的とするところは、特に、ハードケースからなる収納体にも容易に適用することができる収納体補強部材を提供することにある。
【課題を解決するための手段】
【０００７】
本考案の上記課題は、下記の手段によって達成される。
【０００８】
請求項１に記載の考案にあっては、内部に収納物を収納できる収納体の端縁部を補強するために固定され、可撓性を有し、全体長尺帯板状に形成された収納体補強部材であって、基材と、上記基材の表面部に係合固定されるクッション部材とを備え、上記基材は、裏面部幅方向一端部には係止突条を有すると共に表面部幅方向両端部には、一対の上記クッション部材の固定用突条を有し、上記クッション部材は細幅板状であって、上記クッション部材は上記基材の表面部に形成された一対の固定用突条の間に形成される収納空隙内に、基材との間に厚さ方向において空隙部を形成した状態で収納固定されることを特徴とする。
【０００９】
従って、本考案にあっては、上記基材をケース本体の周縁部の表面に接合すると共に上記クッション部材を基材に係合固定することにより取り付ける。
【００１０】
請求項２に記載の考案にあっては、上記クッション部材の幅方向両端部は両端部に到るに従って厚さ寸法が小さくなるテーパを以って形成されると共に、裏面部は表面部方向に向かって湾曲して形成されていることを特徴とする。  
【００１１】
従って、本考案に係る収納体補強部材は、上記クッション部材の幅方向両端部は、両端部に到るに従って厚さ寸法が小さくなるようなテーパを以って形成されると共に、裏面部は表面部方向に向かって湾曲して形成されていることから、上記幅方向両端部は上記一対の固定用突条に係合する。
【００１２】
請求項３に記載の考案にあっては、上記クッション部材の裏面部には溝部が形成されていることを特徴とする。
【００１３】
従って、本考案に係る収納体補強部材は、上記クッション部材の裏面部には溝部が形成されていることにより、上記クッション部材の可撓性を向上させることができる。
【００１４】
請求項４に記載の考案にあっては、上記基材の一対の固定用突条は、上記収納空隙を介して互いに対向して配置され、先端部に向かって幅寸法が小さくなるテーパ状に形成されていると共に、上記先端部は上記収納空隙内方に突出して配置されていることを特徴とする。
【００１５】
従って、本考案に係る収納体補強部材は、上記基材の一対の固定用突条は、上記収納空隙を介して互いに対向して配置され、先端部に向かって幅寸法が小さくなるテーパ状に形成されていると共に、上記先端部は上記収納空隙内方に突出して配置されていることから、上記一対の固定用突起は上記収納空隙内方を側方から覆う。
【００１６】
請求項５に記載の考案に係る収納体補強部材は、上記クッション部材の表面部には装飾部が形成されていることを特徴とする。
【００１７】
従って、本考案に係る収納体補強部材は、上記クッション部材の表面部には装飾部が形成されていることにより、上記クッション部材の表面部に装飾加工を施すことができる。
【考案の効果】
【００１８】
請求項１に記載の考案にあっては、上記基材を収納体を形成するケースの周縁部の表面に接合すると共に、上記クッション部材を基材に係合固定することができるため、上記収納体補強部材をスーツケースや楽器ケース等のハードケースからなる収納体の周縁部にも容易に取り付けることができる。
【００１９】
さらに、本考案に係る収納体補強部材を使用した場合には、クッション部材は基材との間に厚さ方向に空隙部を形成する状態で固定されるため、搬送中にケースが何らかの物に衝接した場合であっても、クッション部材が撓むことにより、ケースへの外部からの衝撃を有効に吸収することができる。
【００２０】
さらに、本考案にあっては、上記ケースの構成部材同士の繋ぎ目を上記基材で隠すことができると共に、上記基材を上記ケースに固定するためのステープルを、上記収納空隙内に上記クッション部材を収納することで被覆することができ、上記ケースの外観品質を向上させることができる。
【００２１】
請求項２に記載の考案にあっては、上記クッション部材の幅方向両端部は、両端部に到るに従って厚さ寸法が小さくなるようなテーパを以って形成されると共に、裏面部は表面部方向に向かって湾曲して形成されていることから、上記幅方向両端部は上記一対の固定用突条に係合するように構成されており、上記収納空隙内に上記クッション部材を確実に収納することができる。
【００２２】
また、裏面部は表面部方向に向かって湾曲して形成されていることにより、基材の表面部との間に空隙部が形成されるため、クッション部材が基材方向へ撓むことができ、ケースの搬送中に何らかの対象に衝接した場合の衝撃を吸収することができる。
【００２３】
請求項３に記載の考案にあっては、上記クッション部材の裏面部には溝部が形成されていることにより、上記クッション部材の可撓性を向上させることができ、紐状のクッション部材を幅方向に沿って容易に曲げることができるため、上記収納空隙内に上記クッション部材を容易に収納することができる。
【００２４】
また、上記溝部を形成することにより、基材の表面部との間により大きな空隙を形成することができるため、搬送中に何らかのものに衝接した場合の衝撃を更に有効に吸収することができる。
【００２５】
請求項４に記載の考案にあっては、上記基材の一対の固定用突条は、上記収納空隙を介して互いに対向して配置され、先端部に向かって幅寸法が小さくなるテーパ状に形成されていると共に、上記先端部は上記収納空隙内方に突出して配置され、上記一対の固定用突起は上記収納空隙内方を側方から覆うように構成されていることから、クッション部材は上記基材に強固に固定され、上記クッション部材が上記基材から離脱することを確実に防止することができる。
【００２６】
請求項５に記載の考案にあっては、上記クッション部材の表面部には装飾部が形成されていることにより、上記クッション部材の表面部に装飾加工を施すことができるので、上記収納体補強部材の外観品質を向上させることができる。
【００２７】
また、上記クッション部材の表面部には装飾が施されていることから、搬送中に様々な対象物に衝接した場合であっても、クッション部材そのものにキズがつきにくい。
【図面の簡単な説明】
【００２８】
【図１】本考案に係る収納体補強部材の一実施の形態を示し、本考案を楽器ケースに適用した場合を部分斜視図である。
【図２】本考案に係る収納体補強部材の一実施の形態を示し、収納体補強部材の構成要素の一つである基材の横断面構造を示す図1のＡ−Ａ断面図である。
【図３】本考案に係る収納体補強部材の一実施の形態を示し、収納体補強部材の構成要素の一つであるクッション部材の断面構造を示す図1のＡ−Ａ断面図である。
【図４】本考案に係る収納体補強部材の一実施の形態を示し、基材にクッション部味を固定した状態を示す横断面図である。
【図５】本考案に係る収納体補強部材の一実施の形態を示し、本考案を楽器ケースに適用した場合を全体斜視図である。
【考案を実施するための最良の形態】
【００２９】
以下、本考案に係る収納体補強部材を実施の形態に基づき、図面を参照して詳細に説明する。なお、本考案の収納体補強部材は、以下の各実施形態に限定されるものではなく、本考案の要旨を逸脱しない範囲内において種々変更を加え得ることは可能である。
【００３０】
まず、本考案に係る収納体補強部材の構成について説明する。なお、本考案に係る収納体補強部材は、内部に収納物を収納できる収納体に適用することが可能であり、ここでは、収納体補強部材を楽器用ケースに適用した場合を例に挙げて説明する。
【００３１】
図１に示すように、本考案に係る収納体補強部材１０は、内部に楽器を収納できる楽器用ケース１１の端縁部１２を補強するために固定され、可撓性を有し、全体長尺帯板状に形成されている。
【００３２】
そして、収納体補強部材１０は、図１〜図４に示すように、帯材状に形成された基材１３と、細幅板状に形成され、基材１３の表面部１４に係合固定されるクッション部材１５とを備えている。
【００３３】
図２に示すように、基材１３は、裏面部１６の幅方向一端部１７に形成された係止突条１８と、表面部１４の幅方向両端部１９に形成された一対のクッション部材固定用突条２０と、表面部１４に形成された一対のクッション部材固定用突条２０、２０の間に形成された収納空隙２１とを有している。
【００３４】
一対のクッション部材固定用突条２０、２０は、図２に示すように、収納空隙２１を介して互いに対向して配置され、両方の先端部２２、２２に向って幅寸法が小さくなるテーパ状に形成されている。
【００３５】
また、一対のクッション部材固定用突条２０、２０の先端部２２、２２は、収納空隙２１内方に突出して配置されている。
【００３６】
即ち、クッション部材固定用突条２０、２０は、略４５度の角度で傾斜して収納空隙２１内方に突出しており、係止突条１８も同様に略４５度の角度で基材１３本体の内方に向かって傾斜して突出配置されている。一対のクッション部材固定用突条２０、２０と同様にして、図２に示すように、係止突条１８も先端部２３に向って幅寸法が小さくなるテーパ状に形成されている。
【００３７】
図３に示すように、クッション部材１５は、全体細幅ベルト状に形成され、幅方向両端部２４は、両方の先端部２５、２５に到るに従って厚さ寸法が小さくなるようなテーパを以って形成されている。
【００３８】
また、図３に示すように、クッション部材１５の裏面部２６は、表面部２７方向に向かって湾曲して形成されており、その裏面部２６には、断面略長方形状の凹状溝部２８が形成されている。
【００３９】
その結果、クッション部材１５の可撓性を向上させることができるので、収納空隙２１内にクッション部材１５を容易に収納することができる。
【００４０】
図３に示すように、クッション部材１５の表面部２７は、エンボス加工により装飾されており、図１に示すように、複数の凸状装飾部２９が表面部２７方向に向かって突出する凸状に形成されている。
【００４１】
従って、本実施の形態に係る収納体補強部材１０を楽器ケース１１の周縁部に固定する場合には、先ず、基材１３の裏面側に形成された係止突条１８を楽器用ケース１１の周縁部に係合させると共に、表面部１４にタッカーによりステープルを打ち込み固定する。その後、基材１３にクッション部材１５を固定する。
【００４２】
クッション部材１５を固定する場合には、クッション部材１５を幅方向に撓ませた状態で基材１３の収納空隙２１内に配置し、幅方向両端部２４、２４を一対のクッション部材固定用突条２０、２０に夫々係合させる。
【００４３】
このようにしてクッション部材１５が基材１３に固定された場合には、図４に示すように、クッション部材１５は裏面部２６が表面部２７方向に向かって湾曲して形成されていると共に、裏面部２６には凹状溝部２８が形成されていることから、クッション部材１５と基材１３の表面部１４との間には空隙３２が形成される。
【００４４】
その結果、本実施の形態に係る収納体補強部材１０が楽器用ケース１１に固定された場合には、楽器用ケース１１を搬送する場合等において、搬送の過程で様々な物に衝接したような場合であっても、ケース本体の一般面から外方へ突出して固定されている収納体補強部材１０において、クッション部材１５は基材１３よりも更に外方に突出していることから、外方からの衝撃が加わった場合には、空隙３２によりクッション部材１５が基材１３方向へ撓むことにより衝撃を吸収する。
【００４５】
その結果、楽器用ケース１１がぶつかった際の衝撃を収納体補強部材１０が吸収し、楽器用ケース１１には伝えない。従って、楽器用ケース１１内に収納した各種の楽器を衝撃から有効に守ることができる。
【００４６】
また、クッション部材１５の表面部には、エンボス加工により装飾部が形成されていると共に、基材１３を固定するステープルを被覆することができるため、収納体補強部材１０及び楽器ケース１１の外観品質を向上させることができる。
【００４７】
また、クッション部材１５の表面部にエンボス加工により模様が形成されていることから、搬送中に様々な対象物と衝接した場合であっても、クッション部材１５の表面にキズがつきにくい。
【００４８】
さらに、図５に示すように、本実施の形態に係る収納体補強部材１０は端縁部１２に固定されることから、基材収納体補強部材１０により、楽器用ケース１１を構成する、側面板部材３０と背面板部材３１との接合部を被覆し、楽器用ケースの外観品質を向上させることができる。
【００４９】
なお、本実施形態においては、本実施形態に係る収納体補強部材を、楽器用ケースに適用した例を挙げて説明を行なったが、楽器用ケース以外の、例えば、スーツケース、鞄、ハンドバッグ等の収容体に適用されてもよく、その場合であっても本実施形態と同様の作用及び効果を得ることができる。
【００５０】
また、本実施形態においては、クッション部材の表面部がエンボス加工により装飾された例を挙げて説明を行なったが、他の加工が施されてもよく、その場合であっても本実施形態と同様の作用及び効果を得ることができる。
【産業上の利用可能性】
【００５１】
本考案に係る収納体補強部材は、上記基材を収納体を形成するケースの周縁部の表面に接合すると共に、上記クッション部材を基材に係合固定することができるため、上記収納体補強部材をスーツケースや楽器ケース等のハードケースからなる収納体の周縁部にも容易に取り付けることができるので、収納体補強部材として極めて有用であることから、産業上の利用可能性を有している。
【符号の説明】
【００５２】
１０  収納体補強部材
１１  楽器用ケース
１２  端縁部
１３  基材
１４  表面部
１５  クッション部材
１６  裏面部
１７  幅方向一端部
１８  係止突条
１９  幅方向両端部
２０  クッション部材固定用突条
２１  収納空隙
２２  先端部
２３  先端部
２４  幅方向両端部
２５  先端部
２６  裏面部
２７  表面部
２８  凹状溝部
２９  凸状装飾部
３０  側面板部材
３１  背面板部材
３２  空隙
【図１】
0003187057.tif 000003
【図２】
0003187057.tif 000004
【図３】
0003187057.tif 000005
【図４】
0003187057.tif 000006
【図５】
0003187057.tif 000007